(57)【要約】【課題】  長期保管が可能で、発芽率が高く栽培が容易であり、かつ運搬時や陳列時における取扱性に優れた植物栽培キットを提供する。【解決手段】  植物栽培キット１は、容器２に培養基材３が充填され、培養基材３中に植物種子４が保持され、さらに培養基材３の上側端面に緩衝材５が載置された状態で、全体として包装材６により減圧包装されている。培養基材３は、容器２の上端開口面からの深さがｄ１となるように充填されており、また植物種子４は、容器２に充填された培養基材３の上側端面から、深さｄ２となる位置に保持されている。ｄ２は、植物種子４の種類に応じて定められる。【選択図】  図１
2013141418.tif 000002
【特許請求の範囲】
【請求項１】
一端に開口面を備えた容器と、
前記容器に充填された培養基材と、
前記容器に充填された前記培養基材における所定の位置に保持された植物種子と、
前記培養基材が充填された前記容器を減圧包装してなる包装材と
を備えることを特徴とする植物栽培キット。
【請求項２】
前記容器に充填された前記培養基材における前記開口面方向の端面が前記開口面から１〜２ｃｍとなるように、前記培養基材が前記容器に充填されていることを特徴とする請求項１に記載の植物栽培キット。
【請求項３】
前記減圧包装における減圧度が０．０８０〜０．０９６ＭＰａであることを特徴とする請求項１又は２に記載の植物栽培キット。
【請求項４】
前記容器が、パルプモールド、生分解性プラスチック又はヤシ殻繊維からなることを特徴とする請求項１〜３のいずれか一項に記載の植物栽培キット。
【請求項５】
前記包装材の内部において、前記培養基材における前記開口面方向の端面の一部又は全部を被覆する緩衝材をさらに備えることを特徴とする請求項１〜４のいずれか一項に記載の植物栽培キット。
【請求項６】
前記緩衝材が、前記培養基材における前記開口面方向の端面の５０％以上を被覆していることを特徴とする請求項５に記載の植物栽培キット。
【請求項７】
前記緩衝材が、紙、布又は不織布からなることを特徴とする請求項５又は６に記載の植物栽培キット。
【請求項８】
前記緩衝材が透水性を有していることを特徴とする請求項５〜７のいずれか一項に記載の植物栽培キット。
【請求項９】
前記包装材が吊下部をさらに備えていることを特徴とする請求項１〜８のいずれか一項に記載の植物栽培キット。
【請求項１０】
前記植物がイネ科植物であることを特徴とする請求項１〜９のいずれか一項に記載の植物栽培キット。
【発明の詳細な説明】
【技術分野】
【０００１】
本発明は、植物栽培キットに関するものである。
【背景技術】
【０００２】
近年、園芸ブームの高まりに伴い、植物の栽培が可能なキットが種々提供されている。中でも、植物の種子と培養基材とが容器の内部に充填され、種まきを必要とせず水の供給だけで植物の栽培が可能であるとする植物栽培キットが提供されている。
【０００３】
さらに、熱処理で殺菌し乾燥させたバーミキュライト層に、花の種子を予め植え付けて真空状態に脱気したあと密閉した容器で、底面部には排水口兼通気口としてのプルトップ式開口部を設けることによって本容器を長期間真空状態に保つことのできる花の栽培用真空密閉容器が知られている（例えば、特許文献１参照）。
【先行技術文献】
【特許文献】
【０００４】
【特許文献１】特開２００５−３１２４１１号公報
【発明の概要】
【発明が解決しようとする課題】
【０００５】
しかし、一般に植物の種子には鮮度があり、保管期間が長くなるにつれて発芽率が低下するため、従来の植物栽培キットでは長期間の保管ができないという問題があった。また、植物種子の発芽率は、培養基材や土壌の表面からの位置（深さ等）によって多大な影響を受ける。しかし、従来の植物栽培キットにおいては、植物種子が培養基材の中で保持されていないため、運搬時や販売店舗での陳列時における取扱によっては培養基材中における種子の位置が移動してしまい、さらに発芽率が著しく低下してしまう等の問題があった。結果として、従来の植物栽培キットは、植物の栽培に不慣れな一般の消費者にとっては、栽培が容易であるとはいえなかった。
【０００６】
一方、特許文献１の真空密閉容器は、プルトップ式開口部を備える金属缶の容器であるため、重い、製造コストが高い等の問題があった。さらに、特許文献１には、培養基材として密度の異なる２層のバーミキュライトを設けることで種子を保持することが記載されているが、それでも真空密閉容器を横置きした場合には種子が容器内で移動してしまうため、運搬時や販売店舗での陳列時において必ず縦置きにしなければならず、取扱性に問題があった。
【０００７】
そこで、本発明は、長期保管が可能で、発芽率が高く栽培が容易であり、かつ運搬時や陳列時における取扱性に優れた植物栽培キットを提供することを目的とする。
【課題を解決するための手段】
【０００８】
上記目的を達成するために、本発明は、一端に開口面を備えた容器と、前記容器に充填された培養基材と、前記容器に充填された前記培養基材における所定の位置に保持された植物種子と、前記培養基材が充填された前記容器を減圧包装してなる包装材とを備えることを特徴とする植物栽培キットを提供する（発明１）。
【０００９】
上記発明（発明１）に係る植物栽培キットは、減圧包装されていることにより、長期保管が可能である。また、減圧包装によって植物種子が培養基材において保持されているため、発芽率が高く栽培が容易であり、かつ運搬時や陳列時における取扱性に優れたものとなる。
【００１０】
上記発明（発明１）においては、前記容器に充填された前記培養基材における前記開口面方向の端面が前記開口面から１〜２ｃｍとなるように、前記培養基材が前記容器に充填されていることが好ましい（発明２）。
【００１１】
上記発明（発明１，２）においては、前記減圧包装における減圧度が０．０８０〜０．０９６ＭＰａであることが好ましい（発明３）。
【００１２】
上記発明（発明１〜３）においては、前記容器が、パルプモールド、生分解性プラスチック又はヤシ殻繊維からなることが好ましい（発明４）。
【００１３】
上記発明（発明１〜４）においては、前記包装材の内部において、前記培養基材における前記開口面方向の端面の一部又は全部を被覆する緩衝材をさらに備えることが好ましい（発明５）。
【００１４】
上記発明（発明５）においては、前記緩衝材が、前記培養基材における前記開口面方向の端面の５０％以上を被覆していることが好ましく（発明６）、前記緩衝材が、紙、布又は不織布からなることが好ましく（発明７）、前記緩衝材が透水性を有していることが好ましい（発明８）。
【００１５】
上記発明（発明１〜８）においては、前記包装材が吊下部をさらに備えていることが好ましい（発明９）。
【００１６】
上記発明（発明１〜９）においては、前記植物がイネ科植物であることが好ましい（発明１０）。
【発明の効果】
【００１７】
本発明の植物栽培キットは、減圧包装されていることにより、長期保管が可能である。また、減圧包装によって植物種子が培養基材において保持されているため、発芽率が高く栽培が容易であり、かつ運搬時や陳列時における取扱性に優れたものとなる。
【図面の簡単な説明】
【００１８】
【図１】本発明の実施形態に係る植物栽培キットの断面図である。
【図２】本発明の実施形態に係る植物栽培キットの斜視図である。
【発明を実施するための形態】
【００１９】
以下、本発明の実施形態に係る植物栽培キットについて、添付図面を参照して説明する。
【００２０】
図１及び図２に示すように、本実施形態に係る植物栽培キット１は、発芽から所定の状態に生長するまで植物を栽培するためのキットであり、容器２と、培養基材３と、植物種子４と、緩衝材５と、包装材６とを備えている。
【００２１】
容器２は、上端が開口部２１となっており、全体として、下方に向かって縮小している有底逆四角錐台筒状となっている。容器２の側部は、開口部２１を囲む帯状の側壁上縁部２２と、側壁上縁部２２の下側に連続する側壁本体部２３とから構成されており、容器２の底部は、底部中央部に位置する主底面部２４と、主底面部２４を囲む脚部２５とで構成されている。
【００２２】
後述するように、側壁上縁部２２の内側はウォータースペース２６となっており、側壁上縁部２２の高さは、１〜２ｃｍであることが好ましい。一方、側壁本体部２３の内側は培養基材３が充填される空間となっており、側壁本体部２３の高さは、７〜８ｃｍであることが好ましい。
【００２３】
主底面部２４は、矩形の平板状となっており、主底面部２４には、開口部２１から供給された水を排水するための排水孔２７が形成されている。この排水孔２７は、本実施形態では、主底面部２４の各角部近傍に１個ずつ、合計４個形成されている。
【００２４】
脚部２５は、側壁本体部２３の下端部に連続しており、主底面部２４を囲みつつ、下方向に凸になるように形成されている。本実施形態では、容器２の側部各面における下端部（側壁本体部２３の下端部；脚部２５の下端部）の中央部に、凹部２８が形成されている。開口部２１から供給された水のうち余分なものは、排水孔２７及び凹部２８を介して容器２の外側に排出され、それにより根が腐るのを防止することができる。
【００２５】
容器２は、後述する減圧包装が施されても、本実施形態における効果を損なわない程度に、内部に充填された培養基材３等を保持し得る程度の強度を有するものであることが好ましい。ただし、減圧包装後においてもほとんど変形しない程度の強度を要するものではなく、本実施形態における効果を損なわない程度であれば、減圧包装後において容器２に多少の歪みが生じてもよい。また、容器２は、栽培時に水を供給しても強度がそれほど低下しないものであることが好ましい。このような観点から、容器２の好ましい材料としては、ポリエチレン、ポリプロピレン、ポリカーボネート、ポリエチレンテレフタレート、ポリ塩化ビニル等を主成分とする合成樹脂（プラスチック）；ポリ乳酸やデンプン等を主成分とする生分解性プラスチック；古紙、再生紙等の紙；紙や木材等から得られるパルプを成形したパルプモールド；ピートモス等の土中分解性を有する材料；ヤシ殻繊維、木材等の植物由来の材料を例示することができ、中でも軽量で所望の強度を有するプラスチック、生分解性プラスチック、パルプモールド、ヤシ殻繊維及び木材が特に好ましい。
【００２６】
容器２の内部には、容器２の側壁上縁部２２と側壁本体部２３との境界付近まで培養基材３が充填されている。換言すると、容器２の上端開口面から培養基材３の上面までの深さｄ１が、側壁上縁部２２の高さと略同じ（１〜２ｃｍ）となるように、容器２に培養基材３が充填される。培養基材３をこのように充填することで、容器２の上端開口面と、培養基材３の上面と、側壁上縁部２２の内壁面とで仕切られた領域であるウォータースペース２６が形成される。ウォータースペース２６があることで、栽培時において開口部２１から水を供給したときに、水が容器２の外に溢れることなくウォータースペース２６に一旦溜まり、その後培養基材３に浸み込んでゆく。その後、過剰な水は、培養基材３を通過した後、排水孔２７を通じて容器外に排出される。
【００２７】
培養基材３は、植物を栽培するために用いられる基材であれば特に限定されず、例えばバーミキュライト、ゼオライト、パーライト、珪酸塩白土、軽石、おが屑、木片、ピートモス、木屑、木炭、水苔、再生粉砕パルプ、コーヒー殻等を挙げることができ、これらを圧縮したものであってもよい。中でも、中粒のバーミキュライトであれば、発芽率が良く、またクッション材にもなり得るため、特に好ましい。
【００２８】
植物種子４は、本実施形態に係る植物栽培キット１において栽培される植物の種子である。植物種子４は、容器２に充填された培養基材３の上側端面から、深さｄ２となる位置に保持されている。この深さｄ２は、植物種子４の種類に応じて定められる。例えば、燕麦（学名：Avena sativa）の種子の場合、ｄ２は１〜２ｃｍであることが好ましい。このように、植物種子４の種類に応じてｄ２を定めることにより、植物種子４の種類に応じた発芽に最適な位置に植物種子４を保持することができ、植物の栽培に不慣れな消費者が栽培した場合であっても、発芽率を飛躍的に向上させることが可能となる。
【００２９】
本実施形態に係る植物栽培キット１において栽培される植物は、特に限定されるものではなく、例えば、ヒマワリ、ポピー、サルビア、アサガオ、パンジー、アスター、コスモス等の花卉類；コムギ、コメ、ソバ等の穀物類；レタス、ハクサイ、ブロッコリー、カリフラワー、ホウレンソウ、ネギ、トマト、キュウリ、ナス等の野菜類等を挙げることができる。
【００３０】
本実施形態に係る植物栽培キット１において栽培されることが特に好適な植物として、ペットグラスが挙げられる。ペットグラスは、イヌやネコが自毛を飲み込んでしまうことで胃等に生じる毛玉を排出させるために、これらのペットに食べさせる植物であるが、これらは通常植物の栽培に不慣れな消費者が栽培することが多く、発芽率が低いことが問題となっていた。しかし、本実施形態に係る植物栽培キットによれば、このような消費者であっても栽培が容易であるため、特に好ましい。このようなペットグラスとして栽培可能な植物としては、ムギ等を含むイネ科植物等を例示することができ、中でも燕麦（Avena sativa）が好ましい。
【００３１】
緩衝材５は、包装材６の内部にあって培養基材３の上側端面と包装材６との間あり、培養基材３の上側端面の一部又は全部を被覆するように設けられている。このように緩衝材５を設けることで、減圧包装したときに、包装材６と培養基材３との間に緩衝材５が介在して、包装材６と培養基材３とが直接接する面積を減らし、もって包装材６にピンホールが生じるのを抑制することができる。この効果は、特に培養基材３が粒状物である場合に顕著なものとなる。
【００３２】
緩衝材５は、減圧包装において包装材６にピンホールが生じるのを抑制し得る程度の強度を有するものであることが好ましい。このような観点から、緩衝材５の好ましい材料としては、紙、布、織物、編み物、不織布、微多孔膜、スポンジ等が挙げられる。なお、緩衝材５は、着色、染色、印刷等により意匠性を持たせてもよい。また、緩衝材５には、当該植物栽培キット１の商標や使用方法等を表示させてもよい。
【００３３】
緩衝材５は、透水性を有することが好ましい。緩衝材５が透水性を有することで、本実施形態に係る植物栽培キット１を用いて植物を種子から栽培するにあたり開口部２１から水を供給した際に、供給された水が一定の箇所に偏らず、培養基材３にまんべんなく供給することができる。
【００３４】
さらに、植物種子１が、光に当たることで発芽しにくくなるものである場合、緩衝材５は遮光性を有していることが好ましい。このように、植物種子１の特性に適した性質を持つ緩衝材５を用いることで、植物種子１の発芽率をより高めることが可能となる。
【００３５】
緩衝材５による培養基材３の上側端面の被覆率は、包装材６にピンホールが生じることを抑制し得る限り特に限定されないが、上側端面の５０％以上を被覆していることが好ましく、８０％以上を被覆していることがより好ましい。被覆率をこの範囲にすることで、包装材６にピンホールが生じることを効果的に抑制し得る。一方、後述するように透光性を有する包装材６を用いる場合、上側端面の被覆率を９０％以下にすることが好ましい。被覆率をこの範囲にすることで、仮に培養基材３等の内容物が劣化した場合であっても、目視により確認することができ、本実施形態に係る植物栽培キット１の品質管理を容易にすることができる。
【００３６】
本実施形態に係る植物栽培キット１は、容器２に培養基材３が充填され、培養基材３中に植物種子４が保持され、さらに培養基材３の上側端面に緩衝材５が載置された状態で、全体として包装材６により減圧包装されるものである。ここで、本明細書において「減圧包装」とは、真空包装機等によって減圧下密封包装する包装形態を意味する。
【００３７】
減圧包装において用いられる真空包装機としては、ノズル式、チャンバー式、ノズル・チャンバー式、真空密着式、深絞り式等を例示することができ、本実施形態においては何れを使用してもよい。なお、本実施形態においては、減圧下において包装材６を密封シールすることによりシール部６１が形成される。ただし、包装材６を密封する方法はこれに限定されず、例えば、逆止弁や密封用チャックを備えた包装材６を用い、減圧後に密封してもよい。
【００３８】
本実施形態においては、植物栽培キット１が減圧包装されることにより、包装材６が未開封の間における植物種子４の鮮度を維持することができ、本実施形態に係る植物栽培キット１の保管性を高めることができる。また、減圧包装により、容器２の内部における培養基材３及び植物種子４が固定されるため、本実施形態に係る植物栽培キット１の輸送や販売等を経ても、培養基材３における植物種子４の位置が、発芽に最適な状態に保持されたままとなる。この結果、本実施形態に係る植物栽培キット１が、取扱性及び栽培容易性に優れたものとなる。
【００３９】
ここで、一般的な物品の包装形態としては、減圧包装のほかにシュリンク包装も挙げられるが、本発明においては適当でない。シュリンク包装では、植物種子４の鮮度を維持することができず、また、本実施形態に係る植物栽培キット１において包装される容器２等は、側壁上縁部２２やウォータースペース２６等による凹凸を有するため、シュリンク包装は、かかる凹凸によって非常に破れやすいからである。
【００４０】
本実施形態においては、減圧包装における減圧度が０．０８０〜０．０９６ＭＰａであることが好ましく、０．０８０〜０．０９１ＭＰａであることがより好ましい。減圧度が０．０８０ＭＰａ未満であると、植物栽培キット１における培養基材３や植物種子４を効果的に固定できなくなるおそれがあり、一方減圧度が０．０９６ＭＰａを超えると、後述する実施例にて示すように、植物種子４の発芽率が低下するおそれがある。なお、本明細書において減圧度とは、大気圧を基準とした減圧領域の圧力と大気圧との差を意味するものであり、減圧包装する際に真空包装機等にて測定・制御が可能である。
【００４１】
本実施形態における減圧包装に用いられる包装材６としては、非通気性を有し減圧包装に一般的に用いられるものであれば特に限定されないが、本実施形態に係る植物栽培キット１が凹凸を有するものであることから、可撓性を有するものであることが好ましい。また、包装材６が透光性を有している場合、本実施形態に係る植物栽培キット１が陳列されている際に、容器２、培養基材３、緩衝材５等を視認することができるため、消費者が購入する際に安心感を与えることで購買意欲を刺激することができるため、特に好ましい。
【００４２】
このような観点から、包装材６の好ましい材料としては、ポリ塩化ビニリデン、ポリビニールアルコール、ポリエチレンテレフタレート、ポリアミド、ポリエチレン、ポリプロピレン等を主体とする樹脂組成物の単層フィルム又はこれらを積層させたフィルム等を例示することができ、中でもポリアミドとポリエチレンとの多重積層フィルムが特に好ましい。
【００４３】
本実施形態に係る植物栽培キット１は、包装材６におけるシール部６１よりも外縁側に、孔を穿つことにより形成された吊下部７が設けられている。これにより、本実施形態に係る植物栽培キット１は、販売店舗等においてフックに吊り下げる等の陳列形態も採用することができる。
【００４４】
ここで、植物種子と培養基材とを備える従来の植物栽培キットは、植物種子や培養基材が十分に固定されていないため、販売店舗等における陳列形態としては横置きに限定されていた。しかし、本実施形態に係る植物栽培キット１は、減圧包装することにより培養基材３及び植物種子４が固定されるため、陳列形式が横置きに限定されない。すなわち、本実施形態に係る植物栽培キット１は、例えば販売店舗等に応じた多様な陳列形態を採用することができるため、適切な陳列形態を選択することで消費者の購買意欲をさらに刺激することができる。
【００４５】
本実施形態に係る植物栽培キット１を用いて植物を種子から栽培する場合は、包装材６を開封し、開口部２１が上になるように容器２を載置した後、開口部２１から水を適宜供給すればよい。この場合において、水を過分に供給した場合でも、容器２の底面に設けられた排水孔２７により余った水が排水されるため、水の供給量を厳密に制御しなくてもよい。また、緩衝材５は、栽培する際に取り除かれてもよいが、緩衝材５が透水性を有する場合、又は植物種子１が嫌光性種子であって緩衝材５が遮光性を有する場合等は、例えば種子が発芽するまで緩衝材５を載置したままであってもよい。
【００４６】
本実施形態に係る植物栽培キット１の利点を以下に説明する。
本実施形態に係る植物栽培キット１には、植物を種子から栽培するために必要なもの（培養基材、種、容器等）が、必要な量だけ全て揃っているため、これらをそれぞれ用意する必要がなく、また余剰が出ない。開封して水を供給するだけで栽培が開始できるため、手軽であり、かつ栽培者の無駄な時間を省くことができる。
【００４７】
また、植物種子の発芽率は、その種子における含水率や保管環境の湿度によって大きく影響を受けることが知られている。ここで、本実施形態に係る植物栽培キット１は、減圧包装されていることにより、植物種子４の含水率及び植物種子４の周囲の湿度を好適な状態に保つことができるため、開封時まで植物種子４の鮮度が維持され、長期保管が可能となる。
【００４８】
さらに、本実施形態に係る植物栽培キット１によれば、減圧包装により、包装体の中で培養基材３及び植物種子４が固定され、運搬時や陳列時にそれらが動くことがないため、植物種子４が、その植物種に応じて発芽に適した位置、すなわち培養基材３の上側端面からの深さがｄ１となる位置に保持され、発芽率が高く栽培が容易である。それゆえ、栽培する者が当該植物の栽培に熟練していない場合でも、単に水を供給するだけで、極めて簡単に発芽させることができ、植物の栽培を容易に行うことができる。
【００４９】
また、減圧包装された植物栽培キット１は、包装体の中で各部材（容器２、培養基材３、植物種子４及び緩衝材５）が固定されているため、運搬時や陳列時における取扱性に優れる。
【００５０】
さらに、本実施形態に係る植物栽培キット１は、減圧包装により密封されているために外部からの異物の混入がなく、内容物が外にこぼれず、かつ内容物がしっかりと固定されている。このため、従来の植物栽培キットに比べ、過剰包装が不要であり、運搬時や陳列時における取扱性が格段に向上し、販売店舗等での陳列時においても横置き、縦置き、吊下げ等の多様な陳列形態を採用することができる。
【００５１】
また、本実施形態に係る植物栽培キット１は減圧包装により密封されているために衛生的であり、例えば包装された食品等と同等の安全性を備えている。このため、園芸用品として取り扱われていた従来の植物栽培キットと異なり、例えば園芸店以外でも取り扱うことが可能となる。
【００５２】
さらに、本実施形態に係る植物栽培キット１は減圧包装により密封されているため、仮に包装材６にピンホールが生じるなどの不良が発生した場合、包装材６の内部に空気が侵入し減圧包装が保たれている状態と比較して包装材６が膨らんだ状態となるため、ピンホールの発生を一目で確認することができる。そのため、本実施形態に係る植物栽培キット１は、品質管理が極めて容易なものとなる。
【００５３】
以上説明した実施形態は、本発明の理解を容易にするために記載されたものであって、本発明を限定するために記載されたものではない。したがって、上記実施形態に開示された各要素は、本発明の技術的範囲に属する全ての設計変更や均等物をも含む趣旨である。
【００５４】
例えば、上記実施形態においては、容器２の形状は有底逆四角錐台筒状であったが、培養基材３等を収容し得るものであれば容器の形状はこれに限定されず、例えば有底逆多角錐台筒状、有底円錐台筒状、有底角筒状、有底円筒状等であってもよい。
【００５５】
また、吊下部７は、包装材６に付属させることにより全体として植物栽培キット１を吊下げ可能とする機能を有していれば、形態は特に限定されない。例えば、吊下部７は、包装材６に付属した紐状の形態であってもよい。
【００５６】
さらに、上述した実施形態に係る植物栽培キットを用いる場合、室内やベランダ等の比較的狭い空間で植物を栽培することができるが、栽培の態様はこれに限定されない。例えば、本発明の植物栽培キットを開封した後、そのまま土壌中に載置してもよい。この場合においても、植物種子４が発芽に最適な位置に保持されているので、栽培が容易であるという本発明の効果が如何なく発揮される。この場合、容器の材料が土中分解性を有することが特に好ましく、このような材料としては、パルプモールド、生分解性プラスチック、ピートモス、木材、ヤシ殻繊維等が挙げられる。
【実施例】
【００５７】
以下、製造例、試験例等を示すことにより本発明をさらに詳細に説明するが、本発明は下記の製造例等に何ら限定されるものではない。
【００５８】
〔植物栽培キットの製造〕
図１及び２に示すパルプモールド製の容器に、開口部から１．５ｃｍの高さになるよう中粒のバーミキュライトを充填し、バーミキュライトの上端から２ｃｍの深さに燕麦の種子を載置した後、種子の上をバーミキュライトで覆った。これらを容器ごと包装材（クリロン化成社製，ウルトラチューブＵＴ−２３３３）に入れ、表１に示す減圧度にて真空包装機（エヌ・ピー・シー社製，ＢＳ４００−１００）を用いて減圧包装し、植物栽培キットを製造した。
【００５９】
＜試験例１＞発芽試験
得られた植物栽培キットについて、表１に示す期間、常温にて保管した後に包装材を開封し、水を供給して栽培を開始し、植物種子が発芽するか否かを観察した。結果を表１に示す。
【００６０】
【表１】
2013141418.tif 000003
【００６１】
表１に示すように、本発明の植物栽培キットによれば、減圧包装されていることにより、６カ月保管した後に栽培を開始しても、十分な発芽率を示すことが明らかとなった。特に、減圧度が０．０８０〜０．０９１ＭＰａであれば、発芽率の低下がさらに抑制されることが観察された。
【００６２】
また、上記のように製造した植物栽培キットは、縦置きにして６カ月保管した後でも培養基材や植物種子が固定されており、発芽に適した位置が保持されたものであった。
【産業上の利用可能性】
【００６３】
本発明は、保管性が高く、栽培が容易であり、かつ取扱性に優れた植物栽培キットとして有用である。特に、本発明の植物栽培キットは、ペットグラスを栽培するための植物栽培キットとして好適である。
【符号の説明】
【００６４】
１…植物栽培キット
２…容器
２１…開口部
２６…ウォータースペース
３…培養基材
４…植物種子
５…緩衝材
６…包装材
７…吊下部
【図１】
2013141418.tif 000004
【図２】
2013141418.tif 000005